(57)【要約】【課題】光効率及び視野角を向上させるための表示装置を提供する。【解決手段】表示装置は、青色光を出射する光源部、青色光を均一な輝度分布に拡散する拡散部材、液晶層と液晶層を経由した青色光を可視光に発散する蛍光層と蛍光層から発散された光のうち一部の光を蛍光層に反射する反射−偏光層を含む表示パネルとを含む。【選択図】図３
2006309225.tif 000002
【特許請求の範囲】
【請求項１】
青色光を出射する光源部と、
前記青色光を均一な輝度分布に拡散させる拡散部材と、
液晶層と、前記液晶層を経由した青色光を可視光に発散する蛍光層と、前記蛍光層から発散された光のうち、一部の光を前記蛍光層に反射させる反射−偏光部材と、
を含むことを特徴とする表示装置。
【請求項２】
前記青色光は、ピーク波長が実質的に４００ｎｍ〜５００ｎｍであることを特徴とする請求項１記載の表示装置。
【請求項３】
前記光源部は、青色発光ダイオードであることを特徴とする請求項１記載の表示装置。
【請求項４】
前記光源部は、青色有機電界発光ダイオードであることを特徴とする請求項１記載の表示装置。
【請求項５】
前記光源部は、青色蛍光物質を含む冷陰極蛍光ランプであることを特徴とする請求項１記載の表示装置。
【請求項６】
前記光源部は、青色蛍光物質を含む外部電極蛍光ランプであることを特徴とする請求項１記載の表示装置。
【請求項７】
前記光源部は、青色蛍光物質を含む平板蛍光ランプであることを特徴とする請求項１記載の表示装置。
【請求項８】
前記蛍光層は、蛍光物質と、カラー変換物質と、前記蛍光物質とカラー変換物質とを含む光輝性物質より選択された１つであることを特徴とする請求項１記載の表示装置。
【請求項９】
前記反射−偏光部材と前記蛍光層は、前記光源部から出射した青色光の進行方向に沿って順に配置されることを特徴とする請求項１記載の表示装置。
【請求項１０】
前記反射−偏光部材は、
第１偏光方向に沿って配向された液晶分子を有し、前記第１偏光方向に偏光された光を反射する第１液晶層と、
前記第１液晶層上に配置され、前記第１偏光方向と反対の第２偏光方向に沿って配向された液晶分子を有し、前記第２偏光方向に偏光された光を反射する第２液晶層と、
を含むことを特徴とする請求項１記載の表示装置。
【請求項１１】
前記第１液晶層は、第１波長帯の赤色光を円偏光させる第１液晶フィルム及び第２波長帯の緑色光を円偏光させる第２液晶フィルムを含むことを特徴とする請求項１０記載の表示装置。
【請求項１２】
前記第２液晶層は、第１波長帯の赤色光を円偏光させる第３液晶フィルム及び第２波長帯の緑色光を円偏光させる第４液晶フィルムを含むことを特徴とする請求項１０記載の表示装置。
【請求項１３】
前記第１液晶層及び第２液晶層は、コレステリック液晶分子を含むことを特徴とする請求項１０記載の表示装置。
【請求項１４】
前記反射−偏光部材は、互いに異なる屈折率を有する複層構造を有することを特徴とする請求項１記載の表示装置。
【請求項１５】
前記表示パネルは、
第１ベース基板上に画素電極が形成された第１基板と、
前記第１基板と結合されて前記液晶層を収容し、第２ベース基板上に前記蛍光層と前記反射−偏光部材及び共通電極が形成された第２基板と、
を含むことを特徴とする請求項１記載の表示装置。
【請求項１６】
前記第２基板は、前記蛍光層を画素単位に区画する遮光パターンを更に含むことを特徴とする請求項１５記載の表示装置。
【請求項１７】
前記蛍光層は、赤色蛍光層、緑色蛍光層及び青色蛍光層を含むことを特徴とする請求項１５記載の表示装置。
【請求項１８】
前記青色光のピーク波長が実質的に４００ｎｍである場合、前記蛍光層は、青色蛍光層が除去されることを特徴とする請求項１５記載の表示装置。
【請求項１９】
前記表示パネルは、
第１ベース基板上に画素電極が形成された第１基板と、
前記第１基板と結合されて前記液晶層を収容し、第２ベース基板上にカラーフィルタ層と前記蛍光層と前記反射−偏光部材及び共通電極が形成された第２基板と、
を含むことを特徴とする請求項１記載の表示装置。
【請求項２０】
前記第２基板は、前記カラーフィルタ層を画素単位に区画する第１遮光パターンを更に含むことを特徴とする請求項１９記載の表示装置。
【請求項２１】
前記第２基板は、前記蛍光層を画素単位に区画する第２遮光パターンを更に含むことを特徴とする請求項１９記載の表示装置。
【請求項２２】
前記青色光のピーク波長が実質的に４００ｎｍである場合、前記蛍光層は青色蛍光層が除去されることを特徴とする請求項１９記載の表示装置。
【請求項２３】
前記表示パネルは、
第１ベース基板上に画素電極が形成された第１基板と、
前記第１基板と結合されて前記液晶層を収容し、第２ベース基板の第１面上に前記蛍光層と前記反射−偏光部材が形成され、前記第２ベース基板の第２面上にカラーフィルタ層が形成された第２基板と、
を含むことを特徴とする請求項１記載の表示装置。
【請求項２４】
前記第２基板は、前記カラーフィルタ層を画素単位に区画する第１遮光パターンを更に含むことを特徴とする請求項２３記載の表示装置。
【請求項２５】
前記第２基板は、前記蛍光層を画素単位に区画する第２遮光パターンを更に含むことを特徴とする請求項２３記載の表示装置。
【請求項２６】
前記青色光のピーク波長が実質的に４００ｎｍである場合、前記蛍光層は青色蛍光層が除去されることを特徴とする請求項２３記載の表示装置。
【請求項２７】
前記表示パネルは、
第１ベース基板上に画素電極が形成された第１基板と、
前記第１基板と結合されて前記液晶層を収容し、第２ベース基板の第１面上に前記蛍光層と前記反射−偏光部材及び共通電極が形成された第２基板と、
前記第２ベース基板の第２面上に配置され、カラーフィルタ層が形成された第３基板と、
を含むことを特徴とする請求項１記載の表示装置。
【請求項２８】
前記第２基板は、前記蛍光層を画素単位に区画する第１遮光パターンを更に含むことを特徴とする請求項２７記載の表示装置。
【請求項２９】
前記第３基板は、前記カラーフィルタ層を画素単位に区画する第２遮光パターンを更に含むことを特徴とする請求項２７記載の表示装置。
【請求項３０】
前記青色光のピーク波長が実質的に４００ｎｍである場合、前記蛍光層は青色蛍光層が除去されることを特徴とする請求項２７記載の表示装置。
【請求項３１】
実質的に４００ｎｍ〜５００ｎｍのピーク波長を有する青色光を出射する光源部と、
前記青色光を均一な輝度分布に拡散させる拡散部材と、
液晶層と、前記液晶層を経由した青色光を第１可視光に発散させる蛍光層と、前記蛍光層から発散された光のうち、一部の光を前記蛍光層に反射させる反射−偏光部材を含む表示パネルと、
を含むことを特徴とする表示装置。
【請求項３２】
前記反射−偏光部材は、赤色光及び緑色光を反射させることを特徴とする請求項３１記載の表示装置。
【請求項３３】
前記表示パネルは、前記第１可視光を第２可視光にカラーフィルタリングするカラーフィルタ層を更に含むことを特徴とする請求項３１記載の表示装置。
【請求項３４】
前記表示パネルは、単位画素を区画する遮光パターンを更に含むことを特徴とする請求項３１記載の表示装置。
【請求項３５】
実質的に４００ｎｍ〜５００ｎｍのピーク波長を有する青色光を出射する光源部と、
前記青色光を均一な輝度分布に拡散させる拡散部材と、
液晶層、前記液晶層を経由した青色光を第１可視光に発散させる蛍光層、前記蛍光層から発散された光のうち、一部の光を前記蛍光層に反射させる反射−偏光部材及び前記第１可視光を第２可視光にカラーフィルタリングするカラーフィルタ層を含む表示パネルと、
を含むことを特徴とする表示装置。
【請求項３６】
前記反射−偏光部材は、赤色光及び緑色光を反射させることを特徴とする請求項３５記載の表示装置。
【請求項３７】
実質的に４００ｎｍ〜５００ｎｍのピーク波長を有する光を出射する光源部と、
前記光源部から光の供給を受けて第１色に対応するピーク波長を有する第１光及び第２色に対応するピーク波長を有する第２光を生成する蛍光層と、
を含むことを特徴とする表示装置。
【請求項３８】
前記第１色は赤色であり、前記第２色は緑色であることを特徴とする請求項３７記載の表示装置。
【請求項３９】
前記蛍光層は、第３色に対応するピーク波長を有する第３光を更に生成することを特徴とする請求項３７記載の表示装置。
【請求項４０】
前記第１光及び前記第２光を用いて画像を表示する表示パネルを更に含むことを特徴とする請求項３７記載の表示装置。
【請求項４１】
前記光源部は、紫外線光源及び前記紫外線の供給を受け、実質的に４００ｎｍ〜５００ｎｍの前記ピーク波長を有する前記光を出射する関連層を含むことを特徴とする請求項３７記載の表示装置。
【発明の詳細な説明】
【技術分野】
【０００１】
本発明は表示装置に関し、より詳細には光効率及び広視野角を向上させるための表示装置に関するものである。
【背景技術】
【０００２】
一般的に、光輝性液晶表示装置（Ｐｈｏｔｏ−Ｌｕｍｉｎｅｓｃｅｎｔ  Ｌｉｑｕｉｄ  Ｃｒｙｓｔａｌ  Ｄｉｓｐｌａｙ  ａｐｐａｒａｔｕｓ；以下、ＰＬ−ＬＣＤ）は、既存の液晶表示装置（ＬＣＤ）に用いられるカラーフィルタパターンと蛍光ランプを蛍光パターンと紫外線（Ｕｌｔｒａ−Ｖｉｏｌｅｔ：ＵＶ）ランプに代替した液晶表示装置である。
【０００３】
ＰＬ−ＬＣＤにおいて用いられる紫外線ランプは、既存の蛍光ランプから蛍光体を除去して用いるものであって、希望する特定帯域の紫外線のみならず多様な波長帯域の光が混在して発生するので、実質的に表示される色純度が減少するという問題点を有する。
また、４００ｎｍ以下の波長帯域で発生される光のうち、３１３ｎｍ、３６５ｎｍの波長帯域の光は液晶分子を損傷するので、液晶表示装置の光源としては適合しない。
【０００４】
したがって、ＰＬ−ＬＣＤを開発するためには、何よりも適合した光源の採用が重要である。
【発明の開示】
【発明が解決しようとする課題】
【０００５】
本発明の目的は、青色光源を用いて光効率及び広視野角を向上させるための表示装置を提供することにある。
【課題を解決するための手段】
【０００６】
前記本発明の目的を実現するための一実施例による表示装置は、光源部、拡散部材及び表示パネルを含む。前記光源部は、青色光を出射する。前記拡散部材は、前記青色光を均一な輝度分布に拡散させる。前記表示パネルは、液晶層と、前記液晶層を経由した青色光を可視光に発散する蛍光層と、前記蛍光層から発散された光のうち、一部の光を前記蛍光層に反射させる反射−偏光部材とを含む。
【０００７】
前記青色光は、ピーク波長が実質的に４００ｎｍ〜５００ｎｍである。
前記光源部は、青色ダイオード、青色有機電界発光ダイオード、青色冷陰極蛍光ランプと、青色外部電極蛍光ランプ、青色平板蛍光ランプのうちの１つである。
前記蛍光層は、蛍光物質と、カラー変換物質と、前記蛍光物質とカラー変換物質を含む光輝性物質より選択された１つである。
【０００８】
前記反射−偏光層と前記蛍光層は、前記光源部から出射した青色光の進行方法に沿って順に配置される。
前記反射−偏光層は、第１偏光方向に沿って配向された液晶分子を有し、前記第１偏光方向に偏光された光を反射する第１液晶層と、前記第１液晶層上に配置され、前記第１偏光方向と反対の第２偏光方向に沿って配向された液晶分子を有し、前記第２偏光方向に偏光された光を反射する第２液晶層とを含む。
【０００９】
前記第１液晶層は、第１波長帯の赤色光を円偏光させる第１液晶フィルム及び第２波長帯の緑色光を円偏光させる第２液晶フィルムを含む。
前記第２液晶層は、第１波長帯の赤色光を円偏光させる第３液晶フィルム及び第２波長帯の緑色光を円偏光させる第４液晶フィルムを含む。
前記反射−偏光層は、前記第１及び第２液晶層コレステリック液晶分子で形成するか、互いに異なる屈折率を有する複屈折多層膜で形成される。
【００１０】
前記表示パネルは、第１ベース基板上に画素電極が形成された第１基板と、前記第１基板と結合されて前記液晶層を収容し、第２ベース基板上に前記蛍光層と前記反射−偏光層及び共通電極が順に形成された第２基板とを含む。
前記第２基板は、前記蛍光層を画素単位に区画する遮光パターンを更に含む。前記青色光のピーク波長が実質的に４００ｎｍである場合、前記蛍光層は、青色蛍光層が除去される。
【００１１】
前記表示パネルは、第１ベース基板上に画素電極が形成された第１基板と、前記第１基板と結合されて前記液晶層を収容し、第２ベース基板上にカラーフィルタ層と前記蛍光層と前記反射−偏光層及び前記画素電極に対応する共通電極が順に形成された第２基板とを含む。前記第２基板は、前記蛍光層を画素単位に区画する第２遮光パターンを更に含む。
前記青色光のピーク波長が実質的に４００ｎｍである場合、前記蛍光層は青色蛍光層が除去される。前記表示パネルは、第１ベース基板上に画素電極が形成された第１基板と、前記第１基板と結合されて前記液晶層を収容し、第２ベース基板の第１面上に前記蛍光層と前記反射−偏光層が形成され、前記第２ベース基板の第２面上にカラーフィルタ層が形成された第２基板とを含む。
【００１２】
前記表示パネルは、第１ベース基板上に画素電極が形成された第１基板と、前記第１基板と結合されて前記液晶層を収容し、第２ベース基板の第１面上に前記蛍光層と前記反射−偏光層及び共通電極が順に形成された第２基板と、前記第２ベース基板の第２面上に配置され、カラーフィルタ層が形成された第３基板とを含む。
前述の本発明の目的を実現するための他の実施例による表示装置は、実質的に４００ｎｍ〜５００ｎｍのピーク波長を有する青色光を出射する光源部と、前記青色光を均一な輝度分布に拡散させる拡散部材と、液晶層と、前記液晶層を経由した青色光を第１可視光に発散させる蛍光層と、前記蛍光層から発散された光のうち一部の光を前記蛍光層に反射させる反射−偏光層を含む表示パネルとを含む。
【００１３】
前述の本発明の目的を実現するための更に他の実施例による表示装置は、実質的に４００ｎｍ〜５００ｎｍのピーク波長を有する青色光を出射する光源部と、前記青色光を均一な輝度分布に拡散させる拡散部材と、液晶層と、前記液晶層を経由した青色光を第１可視光に発散させる蛍光層と、前記蛍光層から発散された光のうち、一部の光を前記蛍光層に反射させる反射−偏光部材を含む表示パネルとを含む。
【００１４】
前述の本発明の目的を実現するための他の実施例による表示装置は、実質的に４００ｎｍ〜５００ｎｍのピーク波長を有する光を出射する光源部と、前記光源部から光の供給を受けて第１色に対応するピーク波長を有する第１光及び第２色に対応するピーク波長を有する第２光を生成する蛍光層とを含む。
このような表示装置によると、青色光を発散する光源部を用いることで光効率を向上させることができ、また、前記青色光をランバーシアン（ＬＡＭＢＥＲＴＩＡＮ）分布で発散する蛍光層を具備することによる広視野角を向上させることができる。
【発明を実施するための最良の形態】
【００１５】
以下、添付した図面を参照して、本発明をより詳細に説明する。
図１は、本発明の一実施例による表示装置の斜視図である。
図１に示すように、表示装置は青色光を出射するバックライトアセンブリ１００と、青色光を用いて画像を表示するディスプレイアセンブリ２００を含む。
バックライトアセンブリ１００は、ボトムシャーシ１１０、光源部１２０及び反射板１３０を含む。ボトムシャーシ１１０は、一定の収納空間を有し、光源部１２０及び反射板１３０を収納する。
【００１６】
光源部１２０は直下型であって、複数の発光ダイオード１２１及び印刷回路基板１２２を含む。発光ダイオード１２１は、約４００ｎｍ〜５００ｎｍのピーク波長を有する青色光を出射する。複数の発光ダイオード１２１は、チップで形成される。青色光は、１つ以上の波長を有する光を含む。青色光の波長分布は、青色領域内で最大値を有する。
印刷回路基板１２２は、所定の発光ダイオード１２１が長手方向に搭載され、インバータ（図示せず）と電気的に接続され、所定の発光ダイオード１２１に駆動電源を供給する。
【００１７】
反射板１３０は、複数の発光ダイオード１２１が実装された印刷回路基板１２２上に配置され、発光ダイオード１２１から出射した光を上側に反射させる。具体的に、反射板１３０は、複数の発光ダイオード１２１に対応する複数の溝１３１が形成され、この溝１３１に発光ダイオード１２１が位置するように配置される。
ディスプレイアセンブリ２００は、サイドモールド２１０、拡散板２２０、アッパモールド２３０、表示パネル２４０及びトップシャーシ２６０を含む。
【００１８】
サイドモールド２１０は、下に配置されたバックライトアセンブリ１００をガイドし、上に配置された拡散板２２０を支持する。拡散板２２０は、バックライトアセンブリ１００から出射した青色光を均一の輝度分布を有する光に変換して表示パネル２４０に出射する。
アッパモールド２３０はフレーム形状を有し、表示パネル２４０のエッジをガイドするパネルガイド部２３５によってガイドされた表示パネル２４０を収納する。アッパモールド２３０はサイドモールド２１０と締結され、拡散板２２０の移動を防止する。
【００１９】
表示パネル２４０は、アッパモールド２３０に装着され、２枚の基板間に形成された液晶層と青色光を赤色、緑色、及び青色光に発散させる赤色、緑色、青色のカラー蛍光層を含む。もちろん、青色蛍光層は省略してもよい。表示パネル２４０は、青色光を受け、液晶の電気光学的な性質を用いて画像を表示する。
カラー蛍光層は、蛍光（ｐｈｏｓｐｈｏｒ）物質、カラー変換（ｃｏｌｏｒ  ｃｈａｎｇｉｎｇ）物質、蛍光物質とカラー変換物質を含む光輝性（ＰＬ：Ｐｈｏｔｏ  Ｌｕｍｉｎｅｓｃｅｎｃｅ）物質より選択された１つの物質で形成される。カラー蛍光層から発散された光は、ランバーシアン分布を有することで広視野角特性に優れている。
【００２０】
蛍光物質は、赤色、緑色及び青色蛍光物質を含み、赤色蛍光物質は、青色光を赤色光に励起して発散し、緑色蛍光物質は青色光を緑色に励起して発散し、青色蛍光物質は、青色光を青色光として発散する。望ましくは、青色蛍光物質は省略してもよい。
カラー変換物質は、赤色、緑色、及び青色変換物質を含み、赤色変換物質は青色光を赤色光に変換して発散し、緑色変換物質は青色光を緑色に変換して発散し、青色変換物質は青色光を青色光として発散する。望ましくは、青色変換物質は省略してもよい。
【００２１】
表示パネル２４０の周辺領域には、駆動装置が実装される。駆動装置は、駆動信号を出力する駆動回路が配置されたソース印刷回路基板２５１と、データ駆動部２５２、及びゲート駆動部２５３を含む。
トップシャーシ２５０はフレーム形状を有し、アッパモールド２３０と締結され、表示パネル２４０の移動を防止する。また、ボトムシャーシ１１０と締結され、バックライトアセンブリ１００及びディスプレイアセンブリ２００を固定する。
【００２２】
図２は、図１に示したバックライトアセンブリに対する他の実施例による斜視図である。
図２に示すように、バックライトアセンブリは、ボトムシャーシ１４０、光源部１５０、導光板１６０及び反射板１７０を含む。ボトムシャーシ１４０は一定の収納空間を有し、光源部１５０、導光板１６０及び反射板１７０を収納する。
【００２３】
光源部１５０はエッジ型であって、複数の発光ダイオード１５１及び印刷回路基板１５３を含む。発光ダイオード１５１は約４００ｎｍ〜５００ｎｍのピーク波長を有する青色光を出射する発光ダイオードチップと発光ダイオードチップをカバーする矩形の光学レンズを含む。
印刷回路基板１５３は、所定の発光ダイオード１５１が長手方向に実装され、インバータ（図示せず）と電気的に接続され、所定の発光ダイオード１５１に駆動電源を供給する。
【００２４】
導光板１６０は、光源部１５０から出射した線形状の青色光を面形状の青色光にガイドして出射する。
反射板１７０は、導光板１６０から漏洩した青色光を再び導光板１６０に反射する。
図３は、図１に示した表示パネルを説明するための表示装置の断面図である。
図３に示すように、表示装置は、光源部１２０、拡散板２２０及び表示パネル２４０を含む。
【００２５】
光源部１２０は、約４００ｎｍ〜５００ｎｍのピーク波長を有する青色光を出射する。
拡散板２２０は、光源部１２０から出射した青色光を均一の輝度分布を有するよう変換して出射する。
表示パネル２４０は、画素電極２４２が形成された第１基板２４１、液晶層２４３、第１基板２４１との合体により液晶層２４３を収容する第２基板２４８を含む。
【００２６】
第２基板２４８は、遮光パターン２４７、カラー蛍光層２４６、反射−偏光層２４５及び共通電極２４４を含む。遮光パターン２４７は、第２基板２４８の複数の内部空間を定義し、この内部空間には、赤色（Ｒ）、緑色（Ｇ）及び青色（Ｂ）のカラー蛍光層２４６が形成される。カラー蛍光層２４６は、光源部１２０から出射した青色光を用いて、赤色、緑色及び青色光にそれぞれ励起する。
【００２７】
カラー蛍光層２４６から出射した光量は、ランバーシアン分布を有する。ランバーシアン分布は、光源から出射した光量が矩形状の分布を有するように構成することを意味する。
カラー蛍光層は、蛍光物質、カラー変換物質、蛍光物質とカラー変換物質とを含む光輝性物質より選択されたいずれか１つの物質から形成される。
【００２８】
蛍光物質は、無機蛍光物質及び有機蛍光物質に分類することができる。無機蛍光物質の場合、赤色蛍光物質の例としては、Ｙ2Ｏ2Ｓ：Ｅｕ、緑色蛍光物質の例としては（Ｓｒ，Ｃａ，Ｂａ，Ｅｕ）10（ＰＯ4）6・Ｃｌ2、青色蛍光物質の例としては、３（Ｂａ，Ｍｇ，Ｅｕ，Ｍｎ）Ｏ・８Ａｌ2Ｏ3などを挙げることができる。有機蛍光物質の場合、赤色蛍光物質の例としては、ｒｈｏｄａｍｉｎｅ  Ｂ、緑色蛍光物質の例としては、ｂｒｉｌｌｉａｎｔｓｕｌｆｏｆｌａｖｉｎｅ  ＦＦなどを挙げることができる。
【００２９】
赤色蛍光層（Ｒ）は、青色光を用いて赤色カラーを発現する蛍光物質で形成され、緑色蛍光層（Ｇ）は、青色光を用いて緑色カラーを発現する蛍光物質で形成される。青色蛍光層（Ｂ）は、青色光を用いて青色を発現する物質で形成される。
青色蛍光層（Ｂ）は、青色光を透過させる透明物質で形成されるか省略することもできる。具体的に、青色光のピーク波長帯域が約４６０ｎｍの場合には、エネルギーが小さいので、青色蛍光層（Ｂ）が必要である。反面、光源部１２０から出射した青色光のピーク波長帯域が約４００ｎｍの場合には、エネルギーが大きいので、青色蛍光層（Ｂ）が不必要である。このときには、青色蛍光層（Ｂ）を省略するか、透明物質に代替することができる。
【００３０】
反射−偏光層２４５は、青色光を透過し、赤色及び緑色光を反射する。具体的に、液晶層２４３を経由した青色光を透過し、カラー蛍光層２４６から発散された赤色光及び緑色光のうち、外部に出射されない一部の光をカラー蛍光層２４６に再び反射する。これによって、表示パネルの輝度を向上することができる。
反射−偏光層２４５は、コレステリック液晶からなる多重の液晶層であるか、互いに異なる屈折率を有する複屈折多層膜で形成される。反射−偏光層２４５に対する詳細な説明は後述する。
【００３１】
共通電極２４４は、画素電極２４２に対向する電極であって、共通電極２４４と画素電極２４２によって液晶層２４３を駆動する。
図４は、図３に示した反射−偏光層の拡大図である。図５は、図４の第１液晶層の断面図である。図６は、図４の第２液晶層の断面図である。図７は、図５の第１液晶フィルムに対する詳細図である。
【００３２】
図４〜図７に示すように、反射−偏光層３００は、第１液晶層３１０と第２液晶層３２０、第１液晶層３１０及び第２液晶層３２０を接着する接着部材３５０を含む。
第１液晶層３１０は、第１偏光方向に沿って配向されたコレステリック液晶からなり、第１偏光方向に偏光された光を反射し、第１偏光方向と異なる方向に偏光された光をそのまま通過させる。
【００３３】
第１液晶層３１０は、赤色波長帯の光を円偏光させる第１液晶フィルム３１２及び緑色波長帯の光を円偏光させる第２液晶フィルム３１４を含む。第１液晶フィルム３１２及び第２液晶フィルム３１４は順に形成され、第１液晶フィルム３１２及び第２液晶フィルム３１４は第１接着剤３１３によって相互に付着される。
図７に示したように、コレステリック液晶３１２ａは、液晶相の一段階として、棒型液晶分子を螺旋形にねじった状態を有する。コレステリック液晶３１２ａは、一定の間隔でそのねじりを反復しており、反復される長さをピッチ（Ｐ）という。即ち、各コレステリック液晶分子は棒状を有し、互いにねじった螺旋形態を形成する。
【００３４】
ここで、第１液晶フィルム３１２及び第２液晶フィルム３１４は、互いに異なるピッチ（Ｐ）を有する。第１液晶フィルム３１２及び第２液晶フィルム３１４は、それぞれのピッチ（Ｐ）とコレステリック液晶３１２ａの屈折率を掛けた値に該当する波長帯を有する光を反射する。したがって、ピッチ（Ｐ）は、第１液晶フィルム３１２及び第２液晶フィルム３１４の順で減少する。
【００３５】
第１液晶フィルム３１２及び第２液晶フィルム３１４は、溶媒、所定の割合に混合したコレステリック液晶と垂直配向（Ｖｅｔｉｃａｌ  Ａｌｉｇｎｍｅｎｔ；ＶＡ）液晶を含む混合物質からなる。ここで、互いに異なる波長帯の光を選択的に反射するために、第１液晶フィルム３１２及び第３液晶フィルム３１４に混合したコレステリック液晶とＶＡ液晶の割合を調節する。例えば、第１液晶フィルム３１２には、コレステリック液晶とＶＡ液晶とを８：２の割合に混合し、第２液晶フィルム３１４には、コレステリック液晶とＶＡ液晶とを７：３の割合に混合する。
【００３６】
第１液晶フィルム３１２及び第２液晶フィルム３１４は、コレステリック液晶の配向方向と同一の方向に偏光された光を反射し、他の方向に偏光された光をそのまま通過する。よって、第１液晶フィルム３１２及び第３液晶フィルム３１４によって反射された光は、コレステリック液晶の配向方向によって右円偏光または左円偏光の状態を有し、反射されずに透過された光は反射された光と反対の円偏光状態を有する。
【００３７】
第２液晶層３２０は第１偏光方向と反対の第２偏光方向に沿って配向されたコレステリック液晶分子を有する。第２液晶層３２０は、第２偏光方向に偏光された光を反射し、第２偏光方向と異なる方向に偏光された光をそのまま通過する。
第２液晶層３２０は、赤色波長帯の光を円偏光させる第３液晶フィルム３２２、緑色波長帯の光を円偏光させる第４液晶フィルム３２４を含む。第３液晶フィルム３２２及び第４液晶フィルム３２４は順に形成され、第３液晶フィルム３２２及び第４液晶フィルム３２４は、第２接着剤３２３によって相互に付着される。
【００３８】
第３液晶フィルム３２２及び第４液晶フィルム３２４は、溶媒、所定の割合に混合したコレステリック液晶と垂直配向（ＶＡ）液晶を含む混合物質からなる。ここで、互いに異なる波長帯の光を選択反射するために第３液晶フィルム３２２及び第４液晶フィルム３２４に混合したコレステリック液晶とＶＡ液晶との割合を調節する。
第３液晶フィルム３２２及び第４液晶フィルム３２４は、コレステリック液晶分子の配向方向と同一方向に偏光された光を反射し、他の方向に偏光された光をそのまま通過する。したがって、第３液晶フィルム３２２及び第４液晶フィルム３２４によって反射された光は、コレステリック液晶の配向方向によって右円偏光または左円偏光の状態を有し、反射されずに透過された光は反射された光と反対の円偏光状態を有する。
【００３９】
第１液晶層３１０が左円偏光を反射し、右円偏光を透過する場合、第１液晶層３１０を透過した右円偏光は第２液晶層３２０に入射する。第２液晶層３２０は第１液晶層３１０を透過した右円偏光を反射する。したがって、第１液晶層３１０及び第２液晶層３２０を含む光学部材３００は入射する光、即ち、赤色光及び緑色光の反射率を向上することができる。
【００４０】
反射−偏光層３００は、第１液晶層３１０及び第２液晶層３２０を相互に結合する接着部材３５０を更に含む構成とすることができる。
接着部材３５０は、例えば、紫外線硬化剤を含むことができる。したがって、紫外線が照射され、接着部材３５０は第１液晶層３１０及び第２液晶層３２０を相互に結合する。
図８は、図４に示した反射−偏光層の製造方法を説明するための流れ図である。図９〜図１１は、図８に示した第１液晶層の製造方法を説明するための断面図である。
【００４１】
図８〜図１１に示すように、反射−偏光層３００の製造方法は、まず、第１液晶層３１０を形成する（段階Ｓ３１０)。第１液晶層３１０を形成するために、図９及び図１０に示したように、第１基板３３２及び第２基板３３４上に第１液晶フィルム３１２及び第２液晶フィルム３１４をそれぞれ形成する。第１液晶フィルム３１２及び第２液晶フィルム３１４は、例えば、コーティング方法で形成することができる。
【００４２】
以後、第１液晶フィルム３１２と第２液晶フィルム３１４ との間に第１接着剤３１３が介在され、第１フィルム３１２及び第２液晶フィルム３１４は結合される。
第１液晶層３１０と同一の方法によって、第２液晶層３２０を形成する。
その後、接着部材３５０を利用して第１液晶層３１０及び第２液晶層３２０を相互に結合する（段階Ｓ３２０）。
【００４３】
図１２は、本発明の他の実施例による表示装置の断面図である。
図１２に示すように、表示装置は光源部１２０と、拡散板２２０及び表示パネル４０１を含む。光源部１２０及び拡散板２２０については、前述した実施例と同一の構成であり同一の図面符号を付与する。
光源部１２０は、約４００ｎｍ〜５００ｎｍのピーク波長を有する青色光を出射する。拡散板２２０は、光源部１２０から出射した青色光を均一な輝度分布を有するように変換して出射する。
【００４４】
表示パネル４０１は、第１ベース基板４１１上に画素電極４１２が形成された第１基板４１０と、液晶層４２０と、第１基板４１０との合体により液晶層４２０を収容する第２基板４３０を含む。
第２基板４３０は、第２ベース基板４３１、第１遮光パターン４３２、カラーフィルタ層４３３、第２遮光パターン４３４、 カラー蛍光層４３５、反射−偏光層４３６及び共通電極４３７を含む。
【００４５】
第２ベース基板４３１上に第１遮光パターン４３２を形成して単位画素領域に対応する数の第１内部空間を形成する。第１内部空間には赤色（Ｒ）、緑色（Ｇ）及び青色（Ｂ）のカラーフィルタ層４３３がそれぞれ形成される。
カラーフィルタ層４３３上に第２遮光パターン４３４を形成して第１内部空間に対応する第２内部空間を形成する。第２内部空間には、赤色(Ｒ)、緑色(Ｇ)及び青色（Ｂ）のカラー蛍光層４３５がそれぞれ形成される。
【００４６】
カラー蛍光層は、蛍光物質、カラー変換物質、蛍光物質とカラー変換物質を含む光輝性物質より選択された１つの物質で形成される。
赤色蛍光層（Ｒ）は、青色光を利用して赤色カラーを発現する蛍光物質で形成され、緑色蛍光層（Ｇ）は、青色光を利用して緑色カラーを発現する蛍光物質で形成される。青色蛍光層（Ｂ）は青色光を利用して青色カラーを発現する蛍光物質で形成される。
【００４７】
青色蛍光層（Ｂ）は青色光を透過させる透明物質で形成するか、省略することもできる。具体的に、青色光のピーク波長帯域が約４６０ｎｍの場合にはエネルギーが大きいので青色蛍光層（Ｂ）が必要である。反面、光源部１２０から出射した青色光のピーク波長帯域が約４００ｎｍの場合には、エネルギーが小さいので青色蛍光層（Ｂ）が不必要である。この時には、青色蛍光層（Ｂ）を省略するか、透明物質により代替することができる。勿論、カラーフィルター層４３３から青色カラーフィルタ層を省略するか、透明物質により代替することができることは当然である。
【００４８】
カラー蛍光層４３５上に反射−偏光層４３６が形成される。反射−偏光層４３６はコレステリック液晶を含む多重の液晶層または互いに屈折率を有する複屈折多層膜で形成されて選択的に光を反射させる。具体的に、反射−偏光層４３６は入射する青色光を透過し、カラー蛍光層４３５から発散された光の一部の光である赤色光及び緑色光を反射する。
共通電極４３７は、画素電極４１２に対向する電極であって、共通電極４３７と画素電極４１２によって液晶層４２０が駆動される。
【００４９】
表示パネル４０１に入射した液晶層４２０を経由した青色光は下記のような経路を有する。
第１基板４１０に入射した青色光は、液晶層４２０を経由して第２基板４３０に入射する。
第２基板４３０に入射した青色光はまず、透明電極である共通電極４３７を透過して反射−偏光層４３６に入射する。反射−偏光層４３６に入射した青色光は透過してカラー蛍光層４３５でそれぞれ励起され、赤色、緑色及び青色光にそれぞれ発散される。
【００５０】
カラー蛍光層４３５を透過しない一部の光である赤色光及び緑色光は、反射−偏光層４３６で反射され、カラー蛍光層４３５に再び入射する。
カラー蛍光層４３５から発散された第１可視光である赤色、緑色及び青色光は、カラーフィルタ層４３３を通じて純度が向上した第２可視光である赤色、緑色、及び青色カラーの光にフィルタリングされて出射する。また、カラーフィルタ層４３３は、カラー蛍光層４３５によって励起されて発散された光のうち、可視光以外の紫外線のような人体に有害な光を遮断する。
【００５１】
望ましくは、カラー蛍光層４３５は、約１０〜１５μｍの厚さに形成され、カラーフィルタ層４３３はカラー蛍光層４３５より薄く形成される。
図１３は、本発明の更に他の実施例による表示装置の断面図である。
図１３に示すように、表示装置は光源部１２０と、拡散板２２０及び表示パネル４０２を含む。前述の図１２に示した他の実施例と同一の構成要素に対しては同一の図面符号を付与する。
【００５２】
光源部１２０は、約４００ｎｍ〜５００ｎｍのピーク波長を有する青色光を出射する。拡散板２２０は、光源部１２０から出射すた青色光を均一な輝度分布を有するように変換して出射する。
表示パネル４０２は、第１ベース基板４１１上に画素電極４１２が形成された第１基板４１０と、液晶層４２０と、第１基板４１０との合体により液晶層４２０を収容する第１基板４３０を含む。
【００５３】
第２基板４３０は、第２ベース基板４３１を含む。第２ベース基板４３１の第１面には、第１遮光パターン４３２とカラーフィルタ層４３３が形成され、第２面には第２遮光パターン４３４と、カラー蛍光層４３５と反射−偏光層４３６及び共通電極４３７が形成される。
第２ベース基板４３１の第１面の上には、第１内部空間を定義する第１遮光パターン４３２が形成され、第１内部空間には赤色(Ｒ)、緑色(Ｇ)及び青色(Ｂ)のカラーフィルタ層４３３がそれぞれ形成される。青色カラーフィルター層は省略するか、透明物質により代替することができる。
【００５４】
第２ベース基板４３１の第２面の上には第２内部空間を定義する第２遮光パターン４３４が形成され、第２内部空間には赤色(Ｒ)、緑色(Ｇ) 及び青色(Ｂ) のカラー蛍光層４３５がそれぞれ形成される。青色蛍光層(Ｂ)は省略するか、透明物質により代替することができる。
カラー蛍光層４３５は、蛍光物質、カラー変換物質、蛍光物質とカラー変換物質を含む光輝性物質より選択された１つの物質で形成される。
【００５５】
具体的に、青色光のピーク波長帯域が約４６０ｎｍの場合には、エネルギーが相対的に小さいので青色蛍光層（Ｂ）が必要である。一方、光源部１２０から出射した青色光のピーク波長帯域が約４００ｎｍの場合には、エネルギーが相対的に大きいので青色蛍光層（Ｂ）が不必要である。この時には、青色蛍光層（Ｂ）を省略するか、透明物質により代替することができる。
【００５６】
反射−偏光層４３６は、コレステリック液晶を含む多重の液晶層または互いに異なる屈折率を有する複屈折多層膜で形成される。反射−偏光層４３６は、入射する青色光を透過し、赤色光及び緑色光を反射する。
共通電極４３７は、画素電極４１２に対向する電極であって、共通電極４３７と画素電極４１２によって液晶層４２０が駆動される。
【００５７】
図１４は、本発明の更に他の実施例による表示装置の断面図である。
図１４に示すように、表示装置は、光源部１２０、拡散板２２０及び表示パネル４０３を含む。
光源部１２０は、約４００ｎｍ〜５００ｎｍのピーク波長を有する青色光を出射する。拡散板２２０は、光源部１２０から出射した青色光の輝度分布を均一にして出射する。
【００５８】
表示パネル４０３は、第１基板４１０、液晶層４２０、第２基板４５０、及び第３基板４６０を含む。
第１基板４１０は、画素電極４１２が形成された第１ベース基板４１１を含む。
第２基板４５０は、第１基板４１０との合体により液晶層４２０を収容し、第１遮光パターン４５２、カラー蛍光層４５３、反射−偏光層４５５及び共通電極４５６が第１面に形成された第２ベース基板４５１を含む。第１遮光パターン４５２は複数の第１内部空間を定義し、第１内部空間には赤色(Ｒ)、 緑色(Ｇ)及び青色(Ｂ) のカラー蛍光層４５３が形成される。カラー蛍光層４５３は、光源部１２０から出射した青色光を利用して赤色、緑色及び青色カラーをそれぞれ励起して発散する。
【００５９】
カラー蛍光層は、蛍光物質、カラー変換物質、蛍光物質とカラー変換物質を含む光輝性物質のより選択された１つの物質で形成される。
反射−偏光層４５５は、コレステリック液晶を含む多重の液晶層または互いに異なる屈折率を有する複屈折多層膜に形成される。反射−偏光層４５５は、入射する青色光を透過し、赤色光及び緑色光を反射する。
【００６０】
共通電極４５６は、画素電極４１２に対向する電極であって、共通電極４５６と画素電極４１２によって液晶層４２０が駆動される。
第３基板４６０は、第２基板４５０の第２面に配置される第２遮光パターン４６２とカラーフィルタ層４６３が形成された第３ベース基板４６１を含む。第２遮光パターン４６２は複数の第２内部空間を定義し、第２内部空間には、赤色(Ｒ)、緑色(Ｇ)、及び青色（Ｂ）のカラーフィルタ層４６３が形成される。カラーフィルタ層４６３は、図示したように、第２基板４５０の第２面と接する。
【００６１】
表示パネル４０３に入射した青色光は、下記のような経路を有する。
第１基板４１０に入射した青色光は、液晶層４２０を経由して第２基板４５０に入射する。
第２基板４５０に入射した青色光はまず、透明電極である共通電極４５６を透過し、反射−偏光層４５５に到逹する。反射−偏光層４５５に入射した青色光は透過されてカラー蛍光層４５３において、赤色、緑色及び青色の光にそれぞれ励起される。カラー蛍光層４５３を透過されない一部の光である赤色光及び緑色光は、反射−偏光層４５５で反射され、カラー蛍光層４５３に再び入射する。
【００６２】
カラー蛍光層４５３を経由した赤色、緑色及び青色光は、第３基板４６０に入射する。第３基板４６０に入射した赤色、緑色及び青色光は、カラーフィルタ層４６３を通じて赤色、緑色及び青色光にそれぞれフィルタリングされ、色純度が向上した赤色、緑色及び青色光として出射される。また、カラーフィルタ層４６３は、カラー蛍光層４５３によって励起された光のうち、赤色、緑色及び青色光以外の紫外線のような人体に有害な光を遮断する。
【００６３】
望ましくは、カラー蛍光層４５３は、約１０〜１５μｍの厚さに形成され、カラーフィルタ層４６３は、カラー蛍光層４５３より薄く形成される。
図１５は、本発明の更に他の実施例による表示装置の斜視図である。
図１５に示すように、表示装置は、青色光を出射するバックライトアセンブリ５００と、青色光を利用して画像を表示するディスプレイアセンブリ２００を含む。前述した図１の表示装置と同一の構成であるディスプレイアセンブリ２００は、同一の図面符号を付与する。
【００６４】
バックライトアセンブリ５００は、ボトムシャーシ５１０、有機電界発光部５２０及び反射板５３０を含む。ボトムシャーシ５１０は、一定の収納空間を有し、電界発光部５２０及び反射板５３０を収納する。
有機電界発光部５２０は、直下型に配置された複数の有機電界発光素子（Ｏｒｇａｎｉｃ  Ｌｉｇｈｔ  Ｅｍｉｔｔｉｎｇ  Ｄｉｏｄｅ：ＯＬＥＤ）を有する。有機電界発光素子(ＯＬＥＤ)は約４００ｎｍ〜５００ｎｍのピーク波長を有する青色光を発生する。
【００６５】
ここでは、直下型で複数配置された有機電界発光部５２０を説明したが、１つの平板形態で具現することもでき、図２で説明したように、エッジ型で有機電界発光部を配置することもできる。このような有機電界発光部５２０を利用してバックライトアセンブリを具現する場合、表示装置の薄形化及び軽量化を達成することができる。有機電界発光部５２０に対する詳細な説明は後述する。
【００６６】
反射板５３０は、有機電界発光部５２０の下に配置され、有機電界発光部５２０から出射した青色光のうち、漏洩した光を反射する。
ディスプレイアセンブリ２００はサイドモールド２１０、拡散板２２０、アッパモールド２３０、表示パネル２４０及びトップシャーシ２６０を含む。
サイドモールド２１０は、下に配置されたバックライトアセンブリ１００をガイドし、上に配置された拡散板２２０を支持する。拡散板２２０は、バックライトアセンブリ１００から出射した青色光を均一な輝度分布を有する光に変換して表示パネル２４０に出射する。
【００６７】
アッパモールド２３０は、パネルガイド部２３５によってガイドされた表示パネル２４０を収納して拡散板２２０の移動を防止する。
表示パネル２４０は、アッパモールド２３０に装着され、２枚の基板間に形成された液晶層と青色光を赤色、緑色及び青色光に励起する赤色、緑色及び青色蛍光層を含む。勿論、青色蛍光層は省略してもよい。表示パネル２４０は、青色光を受けて液晶の電気光学的性質を用いて画像を表示する。
【００６８】
カラー蛍光層は、蛍光物質、カラー変換物質、蛍光物質とカラー変換物質を含む光輝性物質から選択された１つの物質で形成される。
表示パネル２４０の周辺領域には、ソース印刷回路基板２５１と、データ駆動部２５２及びゲート駆動部２５３が配置される。
トップシャーシ２６０は、アッパモールド２３０と締結されて表示パネル２４０の移動を防止し、ボトムシャーシと締結されてバックライトアセンブリ１００及びディスプレイアセンブリ２００を固定する。
【００６９】
図１６は、図１５に示した表示装置の断面図である。
図１６に示すように、表示装置は、有機電界発光部５２０と、拡散板２２０及び表示パネル２４０を含む。表示パネル２４０は、前述した図３の表示パネルの図面符号と同一の符号を付与する。
有機電界発光部５２０は、ベース基板５２１、透明電極５２２、正孔注入層５２３、正孔輸送層５２４、青色発光層５２５、電子輸送層５２６、及び金属電極５２７を含む。
【００７０】
陰極に該当する金属電極５２７から提供された電子及び陽極に該当する透明電極５２２から提供された正孔が青色発光層５２５から再結合（ｒｅｃｏｍｍｂｉｎａｔｉｏｎ）され、励起子を形成する。したがって、有機電界発光部５２０は、形成された励起子から青色光を発生させ、青色光は約４００ｎｍ〜５００ｎｍのピーク波長を有する青色光を出射する。
【００７１】
拡散板２２０は、有機電界発光部５２０から出射した青色光を均一な輝度分布を有するように変換して出射する。
表示パネル２４０は、画素電極２４２が形成された第１基板２４１と、液晶層２４３と、第１基板２４１との合体により液晶層２４３を収容する第２基板２４８を含む。
第２基板２４８は、遮光パターン２４７、カラー蛍光層２４６、反射−偏光層２４５及び共通電極２４４を含む。遮光パターン２４７は、第２基板２４８の複数の内部空間を定義し、内部空間には、赤色（Ｒ）、緑色（Ｇ）及び青色（Ｂ）のカラー蛍光層２４６が形成される。カラー蛍光層２４６は、光源部１２０から出射した青色光を用いて赤色、緑色及び青色をそれぞれ励起する。
【００７２】
カラー蛍光層は、蛍光物質、カラー変換物質、蛍光物質とカラー変換物質とを含む光輝性物質より選択された１つの物質で形成される。
反射−偏光層２４５は、コレステリック液晶からなる多重の液晶層または互いに異なる屈折率を有する複屈折多層膜で形成される。反射−偏光層２４５は、入射する青色光を透過し、赤色光及び緑色光を反射する。
【００７３】
共通電極２４４は、画素電極４１２に対向する電極であって、共通電極２４４と画素電極４１２によって液晶層２４３が駆動される。
表示パネル２４０は、前述した図１２〜図１４に示した表示パネル（４０１、４０２、４０３）に代替することができることは当然である。
図１７は、本発明の他の実施例によるバックライトアセンブリに対する斜視図である。
【００７４】
図１７に示すように、バックライトアセンブリ６００は、ボトムシャーシ６１０、光源部６２０、ランプガイド部６３０及び反射板６４０を含む。
ボトムシャーシ６１０は、一定の収納空間を有し、光源部６２０、ランプガイド部６３０及び反射板６４０を収納する。
光源部６２０は、冷陰極蛍光ランプ（ＣＣＦＬ）６２１と電極部６２２を含む。冷陰極蛍光ランプ６２１は、約４００ｎｍ〜５００ｎｍのピーク帯域を有する青色光を発生し、その形状はＵ字形状以外のＩ字形状、Ｎ字形状、Ｍ字形状など、多様な形状を有することが可能である。電極部６２２は、インバータ（図示せず）と接続され、冷陰極蛍光ランプ６２１に駆動電源を供給する。
【００７５】
ランプガイド部６３０は、ランプホルダー６３１とランプサポータ６３２を具備して冷陰極蛍光ランプ６２１の一部をカバーしかつ反射板の６４０との一定間隔を維持させる。ランプガイド部６３０は、反射板６４０を通じてボトムシャーシ６１０と結合される。
反射板６４０は、冷陰極蛍光ランプ６２１から出射した青色光を反射する。
図１８は、本発明の更に他の実施例によるバックライトアセンブリに対する斜視図である。
【００７６】
図１８に示すように、バックライトアセンブリ７００は、ボトムシャーシ７１０、光源部７２０及び反射板７３０を含む。
ボトムシャーシ７１０は、一定の収納空間を有して、光源部７２０及び反射板７３０を収納する。
光源部７２０は、外部電極蛍光ランプ（ＥＥＦＬ）７２１と、第１ランプクリップ７２２及び第２ランプクリップ７２３を含む。外部電極蛍光ランプ７２１は、４００ｎｍ〜５００ｎｍのピーク波長帯域を有する青色光を発生する。第１ランプクリップ７２２及び第２ランプクリップ７２３それぞれは、インバータ（図示せず）と接続され、外部電極蛍光ランプ７２１に駆動電源の供給を受ける。
【００７７】
反射板７３０は、外部電極蛍光ランプ７２１から出射した青色光を反射する。
図１９は、本発明のまた他の実施例によるバックライトアセンブリに対する斜視図である。
図１９に示すように、バックライトアセンブリ８００は、ボトムシャーシ８１０、面光源部８２０及び支持部材８３０を含む。
【００７８】
ボトムシャーシ８１０は一定の収納空間を有して、面光源部８２０及び支持部材８３０を収納する。
面光源部８２０は、平面蛍光ランプ８２１と平面蛍光ランプ８２１の両端に設けられ電源を供給する第１電極部８２２及び第２電極部８２３を有する。平面蛍光ランプ８２１は、４００ｎｍ〜５００ｎｍのピーク波長帯域を有する青色光を発生する。
【００７９】
具体的に、平面蛍光ランプ８２１は、外部から印加される電圧によって内部の放電ガスが放電して紫外線を発生し、発生された紫外線が表面に形成された青色蛍光層に照射されることによって青色光が発生する。平面蛍光ランプ８２１は、広い面積を有しているので、全面にわたって均一の発光をするために内部空間が複数の放電空間に分割した構造を有することが望ましい。
【００８０】
支持部材８３０は、面光源部８２０のエッジに対応して配置され、面光源部８２０をボトムシャーシ８１０と一定距離に離間し、面光源部８２０とボトムシャーシ８１０との電気的な接触を遮断する。また、面光源部８２０に加えられる衝撃を緩和する。
支持部材８３０は、示したように、面光源部８２０の各角部に対応する４つの部材で構成するか、またはフレーム形状の一体型に形成するなど多様に構成することができる。
【００８１】
以上のように、冷陰極蛍光ランプ、外部電極蛍光ランプ及び平面蛍光ランプは、約４００ｎｍ〜５００ｎｍのピーク波長帯域を有する青色光を発生するための青色蛍光層がそれぞれ形成される。これによって、蛍光ランプは、放電ガスが放電されて紫外線を発生し、発生した紫外線は青色蛍光層を通じて青色光に励起されて出射する。
また、以上の実施例では、赤色、緑色、及び青色蛍光体層を形成する前に遮光パターンを形成することを例として挙げたが、遮光パターンを形成しなくてもいい。
【００８２】
図２０は、本発明の実施例による青色光源に対する強度を示したグラフである。
図２０に示すように、「Ａ」グラフは青色光源（ＬＥＤ）上に何も配置しなかったときにおける光の強度であり、「Ｂ」グラフは青色光源（ＬＥＤ）上に拡散板（ＤＰ）を配置したときにおける透過した光の強度であり、「Ｃ」グラフは、青色光源（ＬＥＤ）上に拡散板（ＤＰ）とカラーフィルタ層を含んだ表示パネル（Ｇ）を配置した場合における透過した光の強度である。
【００８３】
実験したように、青色光源上に各層を積層することで青色光源の強度が減少することがわかり、カラー蛍光体を励起可能な光が表示パネル（Ｇ）を透過しても残っていることがわかる。
前述の実験結果によると、カラーフィルタ層を含んだ表示パネル（Ｇ）を透過した光の強度「Ｃ」は、拡散板（ＤＰ）を透過した光の強度「Ｂ」に比べて約５０％効率が落ちることがわかる。この結果から、カラーフィルタ層を省略した表示パネルを用いて表示装置を具現すると、輝度特性を一層向上することができる。
【産業上の利用可能性】
【００８４】
以上、説明したように、本発明によると、青色光源を用いるＰＬ−ＬＣＤを具現することで光効率を向上させ、視野角を改善することができる。
具体的に、蛍光体から出射した光は、ランバーシアン分布を有することによって視野角を改善することができる。また、既存の蛍光ランプの可視光に比べて色純度を向上させることができ、短波長の高輝度特性に光効率を向上させることができる。
【００８５】
なお、高輝度特性によって別途の輝度向上光学フィルムが不必要になることによって、コストを減少することができ、表示装置の軽量化及び薄形化を図ることができる。
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【００８６】
【図１】本発明の一実施例による表示装置の斜視図である。
【図２】図１に示したバックライトアセンブリに対する他の実施例による斜視図である。
【図３】図１に示した表示パネルを説明するための表示装置の断面図である。
【図４】図３に示した反射−偏光層の拡大図である。
【図５】図４の第１液晶層の断面図である。
【図６】図４の第２液晶層の断面図である。
【図７】図５の第１液晶フィルムに対する詳細図である。
【図８】図４に示した青色光の製造方法を説明するための流れ図である。
【図９】図８に示した第１液晶層の製造方法を説明するための断面図である。
【図１０】図８に示した第１液晶層の製造方法を説明するための断面図である。
【図１１】図８に示した第１液晶層の製造方法を説明するための断面図である。
【図１２】本発明の他の実施例による表示装置の断面図である。
【図１３】本発明の更に他の実施例による表示装置の断面図である。
【図１４】本発明の更に他の実施例による表示装置の断面図である。
【図１５】本発明の更に他の実施例による表示装置の斜視図である。
【図１６】図１５に示した表示装置の断面図である。
【図１７】本発明の他の実施例によるバックライトアセンブリに対する斜視図である。
【図１８】本発明の更に他の実施例によるバックライトアセンブリに対する斜視図である。
【図１９】本発明の更に他の実施例によるバックライトアセンブリに対する斜視図である。
【図２０】本発明の実施例による青色光源に対する強度を示すグラフである。
【符号の説明】
【００８７】
１２０、１５０、５２０、６２０、７２０、８２０    光源部
２４５、３００、４３６、４５５    反射−偏光層
２４６、４３５、４５３    カラー蛍光層
２４３、４３３、４６３    カラーフィルタ層
２４０、４０１、４０２、４０３    表示パネル
２４３、４２０    液晶層
【図１】
2006309225.tif 000003
【図２】
2006309225.tif 000004
【図３】
2006309225.tif 000005
【図４】
2006309225.tif 000006
【図５】
2006309225.tif 000007
【図６】
2006309225.tif 000008
【図７】
2006309225.tif 000009
【図８】
2006309225.tif 000010
【図９】
2006309225.tif 000011
【図１０】
2006309225.tif 000012
【図１１】
2006309225.tif 000013
【図１２】
2006309225.tif 000014
【図１３】
2006309225.tif 000015
【図１４】
2006309225.tif 000016
【図１５】
2006309225.tif 000017
【図１６】
2006309225.tif 000018
【図１７】
2006309225.tif 000019
【図１８】
2006309225.tif 000020
【図１９】
2006309225.tif 000021
【図２０】
2006309225.tif 000022